(57)【要約】【課題】軒樋内継手に取付作業を容易にするための把持部が設けられる場合に、軒樋施工後に把持部が視認されるのを抑制し、外観上目立たなくする。【解決手段】前耳部１０が、前壁部６側の上端面部１１から一段下がった内側に配設された軒樋１の２つが、それぞれの長さ方向の端面を突き合わせて配置され、軒樋１ａ、１ｂの前耳部に係合する前耳係合部１８を有する軒樋内継手３が、２つの軒樋の隣接する端部２ａ、２ｂにおいて、両軒樋の前耳部に前耳係合部が係合し、両軒樋に跨って取り付けられて２つの軒樋同士が接続される。【選択図】図１
2009287200.tif 000002
【特許請求の範囲】
【請求項１】
前壁部の上端部に前耳部を有する軒樋の２つが、それぞれの長さ方向の端面を突き合わせて配置され、軒樋の前耳部に係合する前耳係合部を有する軒樋内継手が、２つの軒樋の隣接する端部において、両軒樋の前耳部に前耳係合部が係合し、両軒樋に跨って取り付けられて２つの軒樋同士が接続される軒樋接続構造であって、軒樋の前耳部は、前壁部側の上端面部から一段下がった軒樋の内側に配設されていることを特徴とする軒樋接続構造。
【請求項２】
軒樋は、前耳部を前壁部側の上端面部に連結する連結部を有し、軒樋内継手は、前耳係合部の前側上端から上方に延びるカバー部を有し、軒樋内継手のカバー部が、長さ方向の端面を突き合わせて配置された２つの軒樋の隣接する端部において、両軒樋の上端面部および連結部に跨って上側から重合していることを特徴とする請求項１に記載の軒樋接続構造。
【発明の詳細な説明】
【技術分野】
【０００１】
本発明は、長さ方向の端面が突き合わされて配置される２つの軒樋同士を隣接する端部において軒樋内継手を用いて接続する軒樋接続構造に関する。
【背景技術】
【０００２】
軒樋は、長さ方向の端部において２つの軒樋同士が接続され、建物の軒先に設置される。２つの軒樋同士の接続は、端面を突き合わせて配置し、隣接する端部において、たとえば軒樋内継手を軒樋の内面に沿わせ、両軒樋に跨って取り付けることにより行われている。軒樋内継手は、軒樋および軒樋内継手が本来的に有する弾性を利用して軒樋に嵌着させたり、この嵌着とともにまたは嵌着させずに軒樋内継手の外面に接着剤を塗布して軒樋に接着させたりするなどして取り付けられる。また、２つの軒樋同士の接続には、軒樋内継手に加え、軒樋外継手を用いる場合があり、この場合には、軒樋外継手を、両軒樋の隣接する端部において軒樋の外面に沿わせ、両軒樋に跨って取り付け、軒樋内継手とにより両軒樋を挟み付けて２つの軒樋同士の接続を行う。
【０００３】
このような軒樋の接続について、本出願人は、軒樋内継手の前耳係止部を容易に軒樋に係止させ、係止状態を確実に保持することのできる軒樋接続装置を提案している（特許文献１）。
【０００４】
上記軒樋接続装置は、軒樋内継手の前板部の外面に突設された前耳係止部の下面にリブが突設され、リブは、前端部において前耳係止部の前端より前方に突出し、この突出部の上側にテーパが設けられ、前耳係止部を軒樋の前耳部の開口部に挿入する際に開口部の上端角部とテーパの表面が接するようにしたものである。このような軒樋接続装置は、前耳係止部を軒樋の前耳部の開口部に挿入する際に、リブのテーパ表面が軒樋の前耳部の上端角部に接触しながらリブが前耳部の開口部に先導して挿入されることによって、前耳係止部が前耳部の上端部側面に当たることがなく、挿入の困難さを解消し、前耳係止部の軒樋への係止を容易に実現するとともに、前耳係止部の形状は係止保持のために適したものであり、係止保持力の確保を実現する。
【特許文献１】特開２００７−３１５００４号公報
【発明の開示】
【発明が解決しようとする課題】
【０００５】
このように、軒樋内継手の前耳係止部を容易に軒樋に係止させ、係止状態を確実に保持することのできる軒樋接続装置ではあるが、その後の検討により、幾つかの改善点が見出されている。
【０００６】
その一つに、軒樋内継手の取付作業を容易にするために取っ手として機能する後側分岐片が軒樋内継手に設けられる場合、この後側分岐片が軒樋接続後の施工状態において視認されるという問題がある。後側分岐片は、軒樋内継手において前板部の分岐された後側の片であり、斜め後上方に突設されている。この後側分岐片を把持することによって前耳係止部を軒樋上端部に容易に脱着することができるが、把持可能にするためには後側分岐片はある程度の突出長さが必要とされる。その結果、軒樋内継手の取り付け後に後側分岐片の上端部が軒樋の前耳部より上側に突出することになり、下から仰ぎ見る場合にも突出した後側分岐片が視認され、建物の外観が損なわれる。
【０００７】
本発明は、以上の通りの事情に鑑みてなされたものであり、軒樋内継手に取付作業を容易にするための把持部が設けられる場合に、把持部が視認されるのを抑制し、外観上目立たなくすることのできる軒樋接続構造を提供することを課題としている。
【課題を解決するための手段】
【０００８】
本発明は、上記の課題を解決するために、以下の特徴を有している。
【０００９】
第１の発明は、前壁部の上端部に前耳部を有する軒樋の２つが、それぞれの長さ方向の端面を突き合わせて配置され、軒樋の前耳部に係合する前耳係合部を有する軒樋内継手が、２つの軒樋の隣接する端部において、両軒樋の前耳部に前耳係合部が係合し、両軒樋に跨って取り付けられて２つの軒樋同士が接続される軒樋接続構造であって、軒樋の前耳部は、前壁部側の上端面部から一段下がった軒樋の内側に配設されていることを特徴としている。
【００１０】
第２の発明は、上記第１の発明の特徴において、軒樋は、前耳部を前壁部側の上端面部に連結する連結部を有し、軒樋内継手は、前耳係合部の前側上端から上方に延びるカバー部を有し、軒樋内継手のカバー部が、長さ方向の端面を突き合わせて配置された２つの軒樋の隣接する端部において、両軒樋の上端面部および連結部に跨って上側から重合していることを特徴としている。
【発明の効果】
【００１１】
上記第１の発明によれば、軒樋の前耳部は、前壁部側の上端面部から一段下がった軒樋の内側に配設されているので、取付作業を容易とするために軒樋内継手に斜め後上方に延びる把持部が設けられる場合に、把持部の上端部が前耳部より上側に突出しても、把持部の上端部を軒樋の前壁部の上端部によって隠すことができる。したがって、軒樋の施工状態において下から仰ぎ見る場合にも把持部は視認されにくくなり、外観上目立たず、建物の外観が良好となる。
【００１２】
上記第２の発明によれば、上記第１の発明の効果に加え、軒樋は、前耳部を前壁部側の上端面部に連結する連結部を有し、軒樋内継手は、前耳係合部の前側上端から上方に延びるカバー部を有し、軒樋内継手のカバー部が、長さ方向の端面を突き合わせて配置された２つの軒樋の隣接する端部において、両軒樋の上端面部および連結部に跨って上側から重合しているので、このカバー部によって２つの軒樋の突き合う端面間から雨垂れが発生するのを抑制することができる。
【発明を実施するための最良の形態】
【００１３】
図１、図２は、それぞれ、本発明の軒樋接続構造の一実施形態を示した分解斜視図、斜視図である。
【００１４】
軒樋１は、２つの軒樋１ａ、１ｂが、長さ方向の端部において端面を突き合わせて配置され、隣接する端部２ａ、２ｂに軒樋内継手３が取り付けられて接続され、建物の軒先に設置される。
【００１５】
２つの軒樋１ａ、１ｂは、ともに同一の形状を有し、合成樹脂製または金属板が合成樹脂内にインサートされた複合材などから形成されるものである。
【００１６】
軒樋１ａ、１ｂは、図３にも示したように、水平に配置される底壁部４と、底壁部４の後端から略垂直に立ち上がって延びる後壁部５と、底壁部４の前端から斜め前上方に立ち上がって延びる前壁部６とを備えている。軒樋１ａ、１ｂでは、建物の軒先に設置するために使用される、図示していない軒樋吊具への取り付けを容易とするために、後壁部５の底壁部４からの高さを前壁部６の底壁部４からの高さより低くしている。
【００１７】
後壁部５の上端部には、断面略ロ字形形状を有する中空な後耳部７が配設され、後耳部７は、後壁部５より軒樋１ａ、１ｂの内側に突出している。後耳部７の前側下端には、後耳部７の下端面から下方に延びる係止片８が配設され、後壁部５との間に開口部９を形成している。
【００１８】
前壁部６の上端部には、断面略ロ字形形状を有する中空な前耳部１０が配設されている。前耳部１０は、軒樋１ａ、１ｂの前壁部６側の上端面部１１から一段下がった軒樋１ａ、１ｂの内側に配置されている。また、前耳部１０は、上端面部１１の後端から前壁部６と平行に延びる連結部１２によって上端面部１１に連結され、前耳部１０の上端面は上端面部１１の上端面と平行に配置され、軒樋１ａ、１ｂの後下方にやや傾斜している。前壁部６の上端１３は、上端面部１１の上端より若干上方に突出している。
【００１９】
軒樋内継手３は、図４にも示したように、軒樋１ａ、１ｂの内面形状にほぼ一致する形状を有している。すなわち、軒樋内継手３は、底板部１４と、底板部１４の後端から略垂直に立ち上がって延びる後板部１５と、底板部１４の前端から、軒樋１ａ、１ｂの前壁部６と同じ角度で斜め前上方に立ち上がって延びる前板部１６とを備えている。また、後板部１５の底板部１４からの高さが前板部１６の底板部１４の高さより低くなっている。
【００２０】
一方、軒樋内継手３では、後板部１５と前板部１６の間に補強板部１７が架設され、後板部１５と前板部１６が補強板部１７によって連結され、所定の強度が得られるようにしている。
【００２１】
前板部１６の上端には、軒樋１ａ、１ｂの前耳部１０の外形に略一致する断面略コ字形形状を有し、軒樋内継手３の外側に開口する前耳係合部１８が配設されている。前耳係合部１８は、前側下端において前板部１６の上端から上方に延び、軒樋内継手３の内側に配置されている。また、前耳係合部１８の上端は前板部１６の上端より上方に突出している。前耳係合部１８の前側下端と前板部１６の上端の境界部には、若干上方に突出するリブ１９が設けられている。
【００２２】
また、軒樋内継手３では、前耳係合部１８の後側下端から斜め後上方に延びる把持部２０が配設されている。把持部２０の左右両端は前耳係合部１８の左右両端より内側に位置している。そして、前耳係合部１８の左右方向の中央部には、前側上端から斜め前上方に延びるカバー部２１が配設されている。カバー部２１は、断面略Ｌ字形形状とされ、軒樋１ａ、１ｂの前壁部６側の上端面部１１および連結部１２から形成される部分の外形に略一致する形状を有している。
【００２３】
長さ方向の端部において端面が突き合わされて配置される２つの軒樋１ａ、１ｂは、隣接する端部２ａ、２ｂにおいて両軒樋１ａ、１ｂに跨るように軒樋内継手３を取り付けることにより接続される。２つの軒樋１ａ、１ｂの接続は、端部２ａ、２ｂにおいて、軒樋内継手３を軒樋１ａ、１ｂの内部に上方から挿入し、後板部１５の上端部を軒樋１ａ、１ｂの後耳部７の下方に形成された開口部９に差し込み、後板部１５を後壁部５の内面に、底板部１４を底壁部４の内面に沿うように前板部１６側を下方に回動させ、前耳係合部１８を前耳部１０に外側から嵌め込み、係合させることにより行われる。このとき、軒樋内継手３の後板部１５の上端部が軒樋１ａ、１ｂの係止片８により係止され、また、軒樋内継手３のリブ１９が軒樋１ａ、１ｂの前耳部１０を前側角部において係止する。こうして、軒樋内継手３は、隣接する端部２ａ、２ｂにおいて軒樋１ａ、１ｂの内面に沿い、両軒樋１ａ、１ｂに跨って取り付けられ、２つの軒樋１ａ、１ｂ同士が接続される。
【００２４】
なお、軒樋内継手３の取り付けは、後板部１５の上端部が軒樋１ａ、１ｂの係止片８により係止されることおよび前耳係合部１８が前耳部１０と嵌合することおよびリブ１９が前耳部１０を係止することによってのみ行っても、底板部１４、後板部１５および前板部１６の外面の所定部位に接着剤を塗布し、接着剤による接着を併用することによって行うこともできる。また、軒樋１ａ、１ｂの接続は、従来と同様に、軒樋外継手を併用し、軒樋１ａ、１ｂを軒樋内継手３および軒樋外継手で挟み付けて行うこともできる。ただし、軒樋外継手は、軒樋１ａ、１ｂの外側に配置されるものであるから施工後の外観に現れ、視認されるため、軒樋１が連続する一体物であるような外観を形成したいなどの場合は軒樋１ａ、１ｂの接続には適さない。
【００２５】
上記の軒樋内継手３の取り付けは、把持部２０が軒樋内継手３に配設されているので、把持部２０を把持して行うことができ、取付作業がスムーズとなり、容易になる。把持部２０に関しては、上記の通り、軒樋１の施工状態において視認されるという問題があったが、軒樋１ａ、１ｂの前耳部１０は、前壁部６側の上端面部１１から一段下がった軒樋１ａ、１ｂの内側に配設されているので、把持部２０の上端部が前耳部１０より上側に突出しても、図４に示したように、把持部２０の上端部を軒樋１ａ、１ｂの前壁部６の上端部によって隠すことができる。したがって、軒樋１の施工状態において下から仰ぎ見る場合にも把持部２０は視認されにくくなり、外観上目立たない。建物の外観が良好となる。
【００２６】
また、軒樋内継手３の前耳係合部１８に配設されたカバー部２１は、軒樋内継手３の取り付け後には、図２に示したように、軒樋１ａ、１ｂの隣接する端部２ａ、２ｂにおいて軒樋１ａ、１ｂの上面端部１１および連結部１２に跨り、上側から重合する。このようなカバー部２１は、軒樋１ａ、１ｂの突き合う端面間から雨垂れが発生するのを抑制する。たとえば軒樋外継手を取り付けなくとも、軒樋内継手３によって軒樋１ａ、１ｂの突き合う端面間から雨垂れが発生するのを抑制することができる。
【００２７】
なお、カバー部２１は、軒樋１ａ、１ｂの上端面部１１および連結部１２に跨って上側から重合するが、上記の通り、軒樋１ａ、１ｂの前壁部６の上端１３が上端面部１１の上端より若干上方に突出しているので、図１および図４に示したように、カバー部２１の上端部が前壁部６の上端１３から上方に突出するのを抑制することができ、外観上目立たなくすることができる。カバー部２１も視認されにくく、建物の外観は良好に保持される。雨垂れの発生の抑制を外観を良好に保持しつつ実現することができる。
【図面の簡単な説明】
【００２８】
【図１】本発明の軒樋接続構造の一実施形態を示した分解斜視図である。
【図２】図１に示した軒樋接続構造の斜視図である。
【図３】図１に示した軒樋接続構造における軒樋を示した断面図である。
【図４】図１に示した軒樋接続構造における軒樋内継手を軒樋とともに示した断面図である。
【符号の説明】
【００２９】
１、１ａ、１ｂ  軒樋
２ａ、２ｂ  端部
３  軒樋内継手
６  前壁部
１０  前耳部
１１  上端面部
１２  連結部
１８  前耳係合部
２１  カバー部
【図１】
2009287200.tif 000003
【図２】
2009287200.tif 000004
【図３】
2009287200.tif 000005
【図４】
2009287200.tif 000006